(57)【要約】      （修正有）【課題】シート１枚で見栄えの良い構成とし、廉価に大量生産できる、２本セット用のネクタイパッケージを提供する。【解決手段】全体が１枚のシートで構成され、ネクタイ３、４の２本を前後段違いで平行に装着するネクタイパッケージ１であって、組み立てられたパッケージは、後部と中部６の間に空間を形成し、さらに前記中部６と略長方形帯状の前部５の間に空間を形成し、この両空間にネクタイを装着する。ネクタイ４は４つ折りにしその小剣通しには、前記略凸形状の小剣通し（ループ）係合部が挿入されて装着される、ネクタイ３は中部６をまたいで４つ折りして装着し、ネクタイパッケージを構成する。【選択図】図１
0003155114.tif 000002
【実用新案登録請求の範囲】
【請求項１】
全体が１枚のシートで構成され、ネクタイ（３）（４）の２本を装着するネクタイパッケージ（１）であって、前記ネクタイパッケージ（１）は、そのパッケージ展開状態での内装面（シートの内面）を平面視左から、上方向へ折り曲げ可能に連設された差込片（２５）、止片（２６）を有する略長方形状の背面に折り込まれる後部（７２）、略長方形状の側面（８）、略長方形帯状の前部（５）、略長方形状の側面（８１）、略台形状の形状保持片（９６）を設け、略凸形状の小剣通し（ループ）係合部（９９）を垂設しかつ差込係合部（２３）（２８）と止片係合部（２４）（２９）を有する差込切開孔（２２）（２７）を有する略エ字状の後部（７）を設け、略長方形状の側面（８２）を介して連設された略台形状の形状保持片（９７）を有する略エ字状の中部（６）、この中部（６）に連設された略長方形状の側面（８３）に連設して、差込片（２０）と止片（２１）を有する略長方形状の背面に折り込まれる後部（７１）を設け、前記ネクタイパッケージ（１）の内装面（シートの内面）で、前記背面に折り込まれる後部（７２）、後部（７）、中部（６）、背面に折り込まれる後部（７１）の端縁に上下方向に沿う折線（１１）（１２）（１３）（１４）（１５）（１６）（１７）（１８）を設け、前記折線（１１）（１２）（１３）（１４）を折り曲げ、止片（２１）と止片係合部（２４）を係合しかつ差込片（２０）と差込係合部（２３）を係合して前記後部（７）と中部（６）の間に空間を形成し、次いで（１５）（１６）（１７）（１８）を折り曲げ、差込片（２５）と差込係合部（２８）を係合し、止片（２６）と止片係合部（２９）を係合して前記中部（６）と前記略長方形帯状の前部（５）の間に空間を形成し、この両空間にネクタイを装着することを特徴とするネクタイパッケージである。
【請求項２】
前記後部（７）と中部（６）の間に空間と前記中部（６）と前記略長方形帯状の前部（５）の間に空間を形成し、この両空間にネクタイを装着するにおいて、ネクタイ（４）は中継ぎ（４４）を小剣通し（４５）に通してフックハンガー（２）を通して４つ折りにし、ネクタイ（３）は中部（６）をまたいで４つ折りし中継ぎ（３４）を小剣通し（３５）に通して、大剣（ブレード）を略長方形帯状の前部（５）で抑えて、ネクタイ（３）（４）を上方をずらして前後平行に装着することを特徴とする請求項１記載のネクタイパッケージ。
【請求項３】
前記略凸形状の小剣通し（ループ）係合部（９９）には、左右翼に折線（１９）を設けていて、フックハンガー（２）を通して４つ折りにし中継ぎ（４４）を小剣通し（４５）に通したネクタイ（４）の大剣（４５）が、ネクタイ（３）の中継ぎ（３４）の布面と接触して抑えられ、その小剣通し（４５）には、前記略凸形状の小剣通し（ループ）係合部（９９）が挿入されて装着されることを特徴とする請求項１又は請求項２のいずれかに記載のネクタイパッケージ。
【考案の詳細な説明】
【技術分野】
【０００１】
本考案は、ネクタイのセット販売を行うにあたり、２本セット限定用のネクタイパッケージに関するものである。
【背景技術】
【０００２】
現在においては、多くのネクタイは１本ずつ個別に包装され販売がおこなわれていることが通常である。
吊るし販売や、平台販売や棚置き販売でも、１本で販売している。
【０００３】
しかし、個別販売であると１本ずつに包装や巻き帯が必要となり、人件費、包装の作業時間、包装紙費用等の製造や販売、流通の面で不都合が生じている。
また、近時は、ネクタイは大抵複数本を一度に購入する消費者が多くなっており、色違いの同じ柄２本とか、同系色の似た模様２本とか、相異なる異色の２本とか、ネクタイを複数本で購入する傾向がある。
むしろ、高額でない場合は、１本のみ購入する消費者は少ないといえる。
【０００４】
近年では消費者は衣類等についても省エネ思考の方も多くなり、時代背景を考慮すると、ネクタイを１本ずつに包装する包装形態や過剰包装であると、省エネを推奨している商品という名目での販売には結びつかず、消費者の賞賛や購入意欲を掻き立てることも難しい。
又、個別包装においてのコストもかかる印象を与え、新しい流行を構築できにくく、現状を打破できない。
【０００５】
複数本のまとめ販売をする場合には勿論、単なる帯や紐で、ネクタイ２本をまとめることはできても、それでは商品価値がかえってなくなる。
個別包装ではなくてまとめて販売する手段として、包装パッケージに特徴を設け複数のネクタイをセットとして販売するパッケージの開発が期待される。
さて、従来の技術でネクタイを個別包装する道具やパッケージの開発はいくつか知見できる。（特許文献１参照。）
【先行技術文献】
【特許文献】
【０００６】
【特許文献１】実開平０３−１２０４８６号公報
【０００７】
しかしながら、実開平０３−１２０４８６号公報の完全包装形態のものであると、一度包装してしまうと中を確認するには開封作業が必要となる。
開封作業を行うことで包装紙に欠損が生じるおそれがあるので、購入してから開封するしかない。
つまり、色、柄、質感を知りたいときには、完全包装した状態では全く確認できない。
【０００８】
さらに、フックハンガーで吊るすことのできる構成を含んでいないため、商品陳列の際吊るして販売をおこなうことができないパッケージといえる。
【考案の概要】
【考案が解決しようとする課題】
【０００９】
本考案の解決しようとする課題は、以下の通りである。
（１）ネクタイを２本セットで販売するネクタイパッケージの開発を課題とする。
（２）２本セットにしパッケージングした場合でもネクタイの色・柄・質感等を確認できるネクタイパッケージの開発も課題とする。
（３）平台や吊るす状態の陳列でもとくに問わない形状のパッケージとする。陳列方法に左右されずどの店舗での陳列でも見栄えの良いネクタイパッケージとする。
（４）簡易な包装でネクタイの形状を保持しかつ商品価値を高められる包装形態の開発を課題とする。
（５）直接触れても型くずれのない状態を保持するネクタイパッケージの開発を課題とする。
（６）ブランドや値札等を付する場所を設けることも課題とする。
（７）細かい部品を使用せず、廉価に大量生産することも課題とする。
【００１０】
ネクタイを２本セットで販売するネクタイパッケージを開発し、セットにした場合でも２本とも柄、手触り等消費者が確認できるパッケージとし、店舗の販売形態を問わず商品陳列可能なネクタイパッケージとする。
【００１１】
簡易に包装できネクタイの形状を保持し消費者の目を引き付けるパッケージデザインとし、消費者が直接商品に触れたとしても型崩れしないものとし、ネクタイパッケージ自体に商品の値札、ブランド表示、製造者等の商品情報を掲載可能とするネクタイパッケージとする。
【００１２】
複雑な構成とならないよう細かい部品を使用せず、シート１枚で見栄えの良い構成とし廉価に大量生産できるパッケージとする。
【課題を解決するための手段】
【００１３】
本考案は、ネクタイのセット販売を行う２本セット限定用のネクタイパッケージを提供することを最も主要な目的とする。
【００１４】
ここに、本考案は、全体が１枚のシートで構成され、ネクタイ（３）（４）の２本を前後段違いで平行に装着するネクタイパッケージ（１）であって、前記ネクタイパッケージ（１）は、そのパッケージ展開状態での内装面（シートの内面）を平面視左から、上方向へ折り曲げ可能に連設された差込片（２５）、止片（２６）を有する略長方形状の背面に折り込まれる後部（７２）、略長方形状の側面（８）、略長方形帯状の前部（５）、略長方形状の側面（８１）、略台形状の形状保持片（９６）を設け、略凸形状の小剣通し（ループ）係合部（９９）を垂設しかつ差込係合部（２３）（２８）と止片係合部（２４）（２９）を有する差込切開孔（２２）（２７）を有する略エ字状の後部（７）を設け、略長方形状の側面（８２）を介して連設された略台形状の形状保持片（９７）を有する略エ字状の中部（６）、この中部（６）に連設された略長方形状の側面（８３）に連設して、差込片（２０）と止片（２１）を有する略長方形状の背面に折り込まれる後部（７１）を設け、前記ネクタイパッケージ（１）の内装面（シートの内面）で、前記背面に折り込まれる後部（７２）、後部（７）、中部（６）、背面に折り込まれる後部（７１）の端縁に上下方向に沿う折線（１１）（１２）（１３）（１４）（１５）（１６）（１７）（１８）を設け、前記折線（１１）（１２）（１３）（１４）を折り曲げ、止片（２１）と止片係合部（２４）を係合しかつ差込片（２０）と差込係合部（２３）を係合して前記後部（７）と中部（６）の間に空間を形成し、次いで（１５）（１６）（１７）（１８）を折り曲げ、差込片（２５）と差込係合部（２８）を係合し、止片（２６）と止片係合部（２９）を係合して前記中部（６）と前記略長方形帯状の前部（５）の間に空間を形成し、この両空間にネクタイを装着することを特徴とするネクタイパッケージである。
【００１５】
前記折線（１１）〜（１８）の折り込によって、前記後部（７）と中部（６）の間に空間を形成し、前記中部（６）と前記略長方形帯状の前部（５）の間に空間を形成し、この両空間にネクタイ（３）（４）を装着するにおいて、ネクタイ（４）は中継ぎ（４４）を小剣通し（４５）に通してフックハンガー（２）を通して４つ折りにし、ネクタイ（３）は中部（６）をまたいで４つ折りし中継ぎ（３４）を小剣通し（３５）に通して、大剣（ブレード）を略長方形帯状の前部（５）で抑えて、ネクタイ（３）とネクタイ（４）とを上方をずらして前後平行に装着する。
【００１６】
フックハンガー（２）を通して４つ折りにし中継ぎ（３５）を小剣通し（４５）に通したネクタイ（４）の大剣（４５）は、ネクタイ（３）の中継ぎ（３５）の布面と接触して抑えられる。
【００１７】
そして、中継ぎ（４４）を小剣通し（４５）に通した４つ折りのネクタイ（４）のその小剣通し（４５）には、前記略凸形状の小剣通し（ループ）係合部（９９）が挿入される。
前記略凸形状の小剣通し（ループ）係合部（９９）には、左右翼を折線（１９）を設けて、差込し易くしている。
この構造で、フックハンガー（２）で吊られたネクタイ（４）は、小剣通し（４５）が前記略凸形状の小剣通し（ループ）係合部（９９）から抜けない限り、上方に引き抜くことはできなくなっている。
【００１８】
このように、しっかりと空間を形成して包装することで、２本のネクタイ（３）（４）を装着するとともに型崩れがおこらないよう折り畳んでネクタイ（３）（４）を包む形状とした。
空間の厚みを維持する形状保持片（９６）（９７）、小剣通し（ループ）係合部（９９）を設けることによりネクタイが安定して固定され、落下や移動の際に型崩れを防止する。
【考案の効果】
【００１９】
本考案は前記の構成であり、次の技術的効果がある。
（１）ネクタイ２本を簡易に包装できる構成とし、パッケージングしてしまえばネクタイが落下するおそれや型がくずれするおそれがなく取り扱いが簡単である。
（２）２本セットでパッケージングした場合でもそれぞれのネクタイの色・柄・質感が消費者に解りやすく陳列できる。
（３）２本セットでパッケージングした場合でもフックハンガーに吊るすことも平台にそのまま陳列することも選択可能である。
（４）ブランドタグや下げ札等の使用により商品を傷つけることも防止できる。
（５）部材がシンプルな構成なため、製造工程で複雑な行程を必要とせず廉価に大量生産が可能である。
（６）パッケージは、組み立てや商品装着が容易で、一旦装着すると抜け落ちたり、外れることもない。
【００２０】
２本のネクタイを簡単にパッケージングでき、色・柄・質感などが消費者にも解りやすいよう陳列できる。
吊るす場合や平台による陳列など陳列形態に左右されずどの陳列形態でも陳列可能としている。
【００２１】
ブランドタグや下げ札等を付する場合はネクタイに直接付さずに本考案のネクタイパッケージ（１）に付することで、商品を傷つけることも防止できる。
また、消費者の目を惹きつける手段として帯状の前部（５）を設けブランドデザインを表記する方法等も可能とした。
表面にくるので、消費者の目に留まりやすい構成としている。
【００２２】
部材が、化粧厚紙などのシンプルなもので良いので、製造工程で複雑な行程を必要とせず廉価に大量生産が可能である。
１枚シートのみで、接着剤や止め具などはなく、必要な部材は少なく（最小限であり）安価に製造でき廉価に提供できる。
【図面の簡単な説明】
【００２３】
【図１】本考案に係るネクタイパッケージの実施例１を示すもので、本考案のネクタイパッケージで２本のネクタイを前後に吊るし、上端にフックハンガーを取り付けた使用状態の正面図である。
【図２】同じく本考案に係るネクタイパッケージの実施例１を示すもので、図１の使用状態の背面図である。
【図３】同じく本考案に係るネクタイパッケージの実施例１を示すもので、ネクタイを装着していない態様を示す正面図である。
【図４】同じく本考案に係るネクタイパッケージの実施例１を示すもので、ネクタイを装着していない態様を示す背面図である。
【図５】同じく本考案に係るネクタイパッケージの実施例１を示すもので、ネクタイを装着しネクタイパッケージを係合していない態様を示す正面図である。
【図６】同じく本考案に係るネクタイパッケージの実施例１を示す側面図である。
【図７】同じく本考案に係るネクタイパッケージの実施例１を示すもので、ネクタイを装着せずネクタイパッケージを係合していない展開態様を示す説明図である。
【図８】同じく本考案に係るネクタイパッケージの実施例１を示すもので、ネクタイを装着せずネクタイパッケージを係合していない展開態様を示す説明図である。
【考案を実施するための形態】
【００２４】
全体が１枚のシートで構成され、ネクタイ（３）（４）の２本を前後段違いで平行に装着するネクタイパッケージ（１）であって、ネクタイパッケージ（１）のパッケージ前の、展開状態で説明する。
プレス機械で裁断されるシートは、その内装面（シートの内面）を平面視左から、上方向へ折り曲げ可能に連設された差込片（２５）、止片（２６）を有する略長方形状の背面に折り込まれる後部（７２）、略長方形状の側面（８）、略長方形帯状の前部（５）、略長方形状の側面（８１）、略台形状の形状保持片（９６）を設け、略凸形状の小剣通し（ループ）係合部（９９）を垂設しかつ差込係合部（２３）（２８）と止片係合部（２４）（２９）を有する差込切開孔（２２）（２７）を有する略エ字状の後部（７）を設け、略長方形状の側面（８２）を介して連設された略台形状の形状保持片（９７）を有する略エ字状の中部（６）、この中部（６）に連設された略長方形状の側面（８３）に連設して、差込片（２０）と止片（２１）を有する略長方形状の背面に折り込まれる後部（７１）を設け、前記ネクタイパッケージ（１）の内装面（シートの内面）で、前記背面に折り込まれる後部（７２）、後部（７）、中部（６）、背面に折り込まれる後部（７１）の端縁に上下方向に沿う折線（１１）（１２）（１３）（１４）（１５）（１６）（１７）（１８）を設けている。
【００２５】
前記折線（１１）（１２）（１３）（１４）を折り曲げ、止片（２１）と止片係合部（２４）を係合しかつ差込片（２０）と差込係合部（２３）を係合して前記後部（７）と中部（６）の間に空間を形成し、次いで（１５）（１６）（１７）（１８）を折り曲げ、差込片（２５）と差込係合部（２８）を係合し、止片（２６）と止片係合部（２９）を係合して前記中部（６）と前記略長方形帯状の前部（５）の間に空間を形成し、この両空間にネクタイを装着するネクタイパッケージである。
【００２６】
ネクタイパッケージ（１）の内装面（シートの内面）を平面視上方向に、折線（１１）（１２）（１３）（１４）（１５）（１６）（１７）（１８）を昇順で９０度の角度で折り曲げ、差込片（２０）と差込係合部（２３）を係合し、差込片（２５）と差込係合部（２８）を係合し、止片（２１）と止片係合部（２４）を係合し、止片（２６）と止片係合部（２９）を係合して組み立ててゆく。
【００２７】
前記後部（７）と中部（６）の間に空間と前記中部（６）と前記略長方形帯状の前部（５）の間に空間を形成し、この両空間にネクタイを装着するにおいて、ネクタイ（４）は中継ぎ（４４）を小剣通し（４５）に通してフックハンガー（２）を通して４つ折りにし、ネクタイ（３）は中部（６）をまたいで４つ折りし中継ぎ（３４）を小剣通し（３５）に通して、大剣（ブレード）を略長方形帯状の前部（５）で抑えて、ネクタイ（３）（４）を上方をずらして前後平行に装着する。
【００２８】
前記略凸形状の小剣通し（ループ）係合部（９９）には、左右翼に折線（１９）を設けていて、フックハンガー（２）を通して４つ折りにし中継ぎ（４４）を小剣通し（４５）に通したネクタイ（４）の大剣（４５）が、ネクタイ（３）の中継ぎ（３４）の布面と接触して抑えられ、その小剣通し（４５）には、前記略凸形状の小剣通し（ループ）係合部（９９）が挿入されて装着される。
【００２９】
フックハンガー（２）は販売店舗に必要な場合にだけネクタイパッケージ（１）でパッケージングする前にネクタイ（４）に装着する。
次にネクタイ（３）（４）を２つ折りにした状態のネクタイ（３）（４）の略中央をネクタイ（４）は後部（７）にかけ、ネクタイ（３）は中部（６）にかける。
２本のネクタイ（３）（４）は、前側のネクタイ（３）と後側のネクタイ（４）が、ネクタイ（４）が高い位置で上方をずらして前後平行に位置するようにかけられる。
【００３０】
ネクタイの部分名称としては、表面の幅のある剣先状部分を「大剣（ブレード）」、中間の細い部分を「中継ぎ」、締めたときに裏側に位置する細い先端部分を「小剣（スモールチップ）」、大剣（ブレード）の裏面に取り付けられて小剣（スモールチップ）先端を通すための布製のループ（輪）を「小剣通し（ループ）」と指称される。
本明細書では、前側のネクタイ（３）について、大剣（ブレード）（３１）、小剣（スモールチップ）（３２）、裏地（フェイシング）（３３）
中継ぎ（３４）、小剣通し（３５）と指称する。
同様に後側に位置するネクタイ（４）について、大剣（ブレード）（４１）、小剣（スモールチップ）（４２）、裏地（フェイシング）（４３）、中継ぎ（４４）、小剣通し（４５）と指称する。
ネクタイ（４）を後部（７）におき、ネクタイ（３）を中部（６）にまたいでかけた後は、折線（１１）（１２）（１３）（１４）（１５）（１６）（１７）（１８）を昇順で９０度の角度で折り曲げ、差込片（２０）と差込係合部（２３）を係合し、差込片（２５）と差込係合部（２８）を係合し、止片（２１）と止片係合部（２４）を係合し、止片（２６）と止片係合部（２９）を係合する。
【００３１】
係合部分の係合手段の１例は、まず、止片（２１）を下に一時押し曲げて差込切開孔（２２）に挿入し止片係合部（２４）に引っかけ、次に差込片（２０）を係線（１９）を利用して一時的に押すかたちで曲げ差込係合部（２８）に入れ係合する。
同様に止片（２６）を下に一時押し曲げて差込切開孔（２７）に挿入し止片係合部（２９）に引っかけ、差込片（２５）を折線（１９）を利用して一時的に押すかたちで曲げ差込係合部（２８）に入れ係合する。
【００３２】
本考案に係るネクタイパッケージ（１）を実施例では試作的に次の寸法で作成した。
図７の展開図で説明すると、ネクタイパッケージ（１）の内装面（シートの内面）を平面視して、左端の差込片（２５）の端から右端の差込片（２０）の端までの長さを横長寸法約３５Ｃｍとし、後部（７）の上部端から小剣通し（ループ）係合部の下部端までの長さを縦長寸法約１３．６Ｃｍとし、側面（８２）（８３）の幅を０，９Ｃｍ、と、側面（８）（８１）の幅を１，２Ｃｍとしている。中部（５）と後部（７）が形成する空間は約０．９Ｃｍの空間であり、中部（６）と前部（５）の隙間は０，３Ｃｍの空間が形成される。
ネクタイはものによって大きく寸法が異なる物品ではないため上記寸法で多くのネクタイに適用できる。
勿論この寸法は、一実施例の寸法でこれに制限されるものではない。
【実施例１】
【００３３】
次にこの考案にかかるネクタイパッケージ（１）について、添付した図面に示す実施例に基づいて説明する。
図１は、本考案に係るネクタイパッケージの実施例１を示す正面図である。
素材は、一面側に着色加工した紙である。紙のほか各種素材の化粧シートで作成できる。
まず、商品陳列の際吊るす場合は、フックハンガー（２）に通した後にネクタイパッケージ（１）で商品ネクタイ（３）（４）を展開状態のネクタイパッケージでパッケージングする。
ブランド表示を実施する場合は前部に記載する手段が消費者には伝わりやすい。
ネクタイ（３）、ネクタイ（４）両方とも色、柄、質感等を陳列した状態で確認できる。
【００３４】
図２は、本考案に係るネクタイパッケージの実施例１を示す背面図である。
後部（７）（７１）（７２）には、製造者等の商品情報を記載することもできる。
ただし、後部（７）（７１）（７２）は重なる部分がでるので商品情報を記載する場合は記載位置を消費者が確認できる位置に記載することが望ましい。
小剣通し（ループ）係合部（９９）に、ネクタイ（４）の小剣通し（ループ）（４５）を通していることが図２より確認できる。
小剣通し（ループ）係合部（９９）の左右翼は、小剣通し（ループ）（４５）より少し幅がある大きさになる。
【００３５】
図３は、同じく本考案に係るネクタイパッケージの実施例１を示すもので、ネクタイ（３）（４）を装着していない態様を示す正面図である。
図４はその背面図で、ネクタイパッケージの実施例１で、ネクタイ（３）（４）を装着していない態様を示す背面図である。
商品陳列の際吊るさず平台等に置いて陳列する場合はフックハンガー（２）に通す必要はなくネクタイパッケージ（１）でパッケージングすればよい。
【００３６】
図５は、本考案に係るネクタイパッケージの実施例１を示すもので、ネクタイ（３）（４）を装着する組み立ての中途段階を示すもので、ネクタイパッケージ（１）は全く折り込んでいない態様を示す正面図である。
ネクタイ（４）は２つ折りにした状態の略中央の部分をフックハンガー（２）に掛け、ネクタイ（３）は２つ折りにした状態の略中央の部分を中部（６）に掛けた状態を示している。
この状態より折線（１１）（１２）（１３）（１４）（１５）（１６）（１７）（１８）を昇順に９０度の角度で屈折させていき最後に係合部分で係合する。
【００３７】
図６は、本考案に係るネクタイパッケージの実施例１で、ネクタイ（３）（４）の装着状態を説明する仮想側面図である。
本考案を使用する場合は、ネクタイは４つ折り状態となる。
図６ではネクタイの４つ折り状態を立体ではなく理解しやすくするため一点鎖線で示している。
ネクタイはパッケージで見えない部分は点線、見える部分は１点鎖線で示している。
ネクタイパッケージ（１）の後部（７）と中部（６）の間に形成される空間と、前記中部（６）と略長方形帯状の前部（５）の間に形成される空間を通過している個所が点線で表されている。
この両空間にネクタイを装着するにおいて、ネクタイ（４）はフックハンガー（２）を通して４つ折りにし中継ぎ（４４）を小剣通し（４５）に通してあり、
その小剣通し（４５）に略エ字状の後部（７）から垂設された略凸形状の小剣通し（ループ）係合部（９９）を差し込んだ状態となっている。
ネクタイ（４）の大剣（ブレード）（４１）は、略長方形帯状の前部（５）で直接抑えられるのではなく、ネクタイ（３）の中継ぎ（３４）の布地と接触して抑えられ、ネクタイ（４）が上方に突出する位置で、前後平行に装着されている。
【００３８】
ネクタイ（３）は中部（６）をまたいで４つ折りしている。
図６では、小剣通し（３５）のないネクタイ或はあえて中継ぎ（３４）を小剣通し（３５）に通していない状態を図示している。
【００３９】
図７は、本考案に係るネクタイパッケージの実施例１を示す説明図である。
ネクタイを装着せずネクタイパッケージを折らずに係合していない展開状態を示し、下方に側面等の幅を示す説明図を併記している。
図７で視認できる面を内装面（シートの内面）とし、反対側の面を外装面（シートの化粧面）として説明し、その内装面（シートの内面）を示す展開図の下に記載した表記は各部分がどの位置に示されているものかを理解しやすく記載したものである。
特に、内装面（シートの内面）を平面視左から、上方向へ折り曲げ可能に連設された差込片（２５）、止片（２６）を有する略長方形状の背面に折り込まれる後部（７２）、略長方形状の側面（８）、略長方形帯状の前部（５）、略長方形状の側面（８１）、略台形状の形状保持片（９６）を設け、略凸形状の小剣通し（ループ）係合部（９９）を垂設しかつ差込係合部（２３）（２８）と止片係合部（２４）（２９）を有する差込切開孔（２２）（２７）を有する略エ字状の後部（７）を設け、略長方形状の側面（８２）を介して連設された略台形状の形状保持片（９７）を有する略エ字状の中部（６）、この中部（６）に連設された略長方形状の側面（８３）に連設して、差込片（２０）と止片（２１）を有する略長方形状の背面に折り込まれる後部（７１）を設けている位置関係を説明している。
本考案を折り曲げていくと後部（７）（７１）（７２）は後ろ側部分にあたり、中部（６）は中部分にあたり、前部（５）は前部分にあたり、側面（８）（８１）（８２）（８３）は横部分にあたる。
側面（８）（８１）（８２）（８３）は、ネクタイ（３）（４）が通る空間を形成する幅になり、（８）（８１）＞（８２）（８３）の関係になる。
【００４０】
折線（１１）（１２）（１３）（１４）（１５）（１６）（１７）（１８）を昇順に９０度の角度で屈折させていき折り曲げたのちに、差込片（２０）と差込係合部（２３）を係合し、差込片（２５）と差込係合部（２８）を係合し、止片（２１）と止片係合部（２４）を係合し、止片（２６）と止片係合部（２９）を係合することで組み立てられる。
【００４１】
図８は、本考案に係るネクタイパッケージの実施例１を示すもので、ネクタイを装着せずネクタイパッケージを係合していない態様を示す説明図である。
特に折線の位置を説明している。
略エ字状の後部（７）から垂設された略凸形状の小剣通し（ループ）係合部（９９）の左右翼の付け根の点線でしめす折線（１９）は、一時的に折り曲げることができる部分であり、差込み係合する場合などで必要な時に折り曲げる部分となる。
折線（１１）（１２）（１３）（１４）（１５）（１６）（１７）（１８）は昇順で９０度の角度で折り曲げていく部分である。
昇順に折り曲げることで図３に示す形状となる。
【００４２】
以上の実施例はあくまで一例であり、寸法、素材、形状などはこれに厳密に限定されるものではない。
厚手、薄手のネクタイに適用でき、材質の変更、寸法変更などは、本考案者が予想する設計変更事項である。
【産業上の利用可能性】
【００４３】
本考案は、ネクタイの２本セット販売に使用することを目的としているネクタイパッケージである。
２物品セット販売での長尺商品に利用できる可能性がある。
【符号の説明】
【００４４】
１    ネクタイパッケージ
２    フックハンガー
３    ネクタイ（前側）
３１  大剣（ブレード）
３２  小剣（スモールチップ）
３３  裏地（フェイシング）
３４  中継ぎ
３５  小剣通し（ループ）
４    ネクタイ（後側）
４１  大剣（ブレード）
４２  小剣（スモールチップ）
４３  裏地（フェイシング）
４４  中継ぎ
４５  小剣通し（ループ）
５    前部
６    中部
７    後部
７１  後部
７２  後部
８    側面
８１  側面
８２  側面
８３  側面
１１  折線
１２  折線
１３  折線
１４  折線
１５  折線
１６  折線
１７  折線
１８  折線
１９  折線
２０  差込片
２１  止片
２２  差込切開孔
２３  差込片係合部
２４  止片係合部
２５  差込片
２６  止片
２７  差込切開孔
２８  止片係合部
２９  差込片係合部
９６  形状保持片
９７  形状保持片
９８  ディスプレイ孔
９９  小剣通し（ループ）係合部
【図１】
0003155114.tif 000003
【図２】
0003155114.tif 000004
【図３】
0003155114.tif 000005
【図４】
0003155114.tif 000006
【図５】
0003155114.tif 000007
【図６】
0003155114.tif 000008
【図７】
0003155114.tif 000009
【図８】
0003155114.tif 000010